(57)【要約】【課題】長時間使用しても耳が痛くならず、フィルタの交換が容易な耳かけ型マスク、マスク用フィルタおよびマスク用フレームを得る。【解決手段】人の口および鼻を覆うことができるフィルタ３と、人の耳に掛けることができフィルタ３を保持することができるフレーム２を有してなる。フレーム２は、人の両耳に掛ける耳掛け部２２から鼻に当たる部分に至る蔓部２１と、蔓部２１に連続して設けられ人の口および鼻を含む範囲を囲むことができるフィルタ保持枠２５を有する。フィルタ３は、フレーム２の蔓部２１とフィルタ保持枠２５で囲まれる範囲を覆うことができる広さがあり、フレーム２のフィルタ保持枠２５を外側から囲って装着することができる折り返し縁部３１、３２と、フレーム２の蔓部２１に掛け止めることができる弾性紐を有する。【選択図】図１
2014124397.tif 000002
【特許請求の範囲】
【請求項１】
人の口および鼻を覆うことができるフィルタと、人の耳に掛けることができ上記フィルタを保持することができるフレームを有してなる耳掛け型マスクであって、
上記フレームは、人の両耳に掛ける耳掛け部から鼻に当たる部分に至る蔓部と、上記蔓部に連続して設けられ人の口および鼻を含む範囲を囲むことができるフィルタ保持枠を有し、
上記フィルタは、上記フレームの蔓部とフィルタ保持枠で囲まれる範囲を覆うことができる広さを有するとともに、上記フレームのフィルタ保持枠を外側から囲って装着することができる折り返し縁部と、上記フレームの蔓部に掛け止めることができる弾性紐を有する耳掛け型マスク。
【請求項２】
フレームは、フィルタの弾性紐を掛け止めることができる引っ掛け部を有する請求項１記載の耳掛け型マスク。
【請求項３】
フレームは、人が装着することによりその人の顔形に適合した形状に復帰する形状記憶素材で作られている請求項１または２記載の耳掛け型マスク。
【請求項４】
人の耳に掛けることができるフレームに保持され、人の口および鼻を覆うことができるマスク用フィルタであって、
上記フレームの蔓部とフィルタ保持枠で囲まれる範囲を覆うことができる広さを有するとともに、上記フレームのフィルタ保持枠を外側から囲って装着することができる折り返し縁部と、上記フレームの蔓部に掛け止めることができる弾性紐を有するマスク用フィルタ。
【請求項５】
フィルタ保持枠の両側縁に対応する折り返し部と上記フィルタ保持枠の下縁に対応する折り返し部とが重なる部分であって、上記フィルタ保持枠の外側に位置する部分が互いに固着されることにより上記それぞれの折り返し部が維持されている請求項４記載のマスク用フィルタ。
【請求項６】
弾性紐は、フィルタの上縁に沿って延びていて、フレームの引っ掛け部に掛け止めるべきループ部を左右に有している請求項４または５記載のマスク用フィルタ。
【請求項７】
フィルタを保持して人の耳に掛けることができるマスク用フレームであって、
人の両耳に掛ける部分から鼻に当たる部分に至る蔓部と、上記蔓部に連続して設けられ人の口および鼻を含む範囲を囲むことができるフィルタ保持枠を有し、
上記フィルタ保持枠はフィルタの縁部に形成されている折り返し部に差し込むことができ、
上記蔓部には、上記フィルタのループ部を掛け止めることができる引っ掛け部が設けられているマスク用フレーム。
【発明の詳細な説明】
【技術分野】
【０００１】
本発明は、長時間装着しても耳に負担のかからない耳掛け型マスク、マスク用フィルタおよびマスク用フレームに関するものである。
【背景技術】
【０００２】
風邪の予防や花粉症対策などに耳掛け型マスクが用いられる。一般用途の耳掛け型マスクは、ガーゼや不織布などからなるフィルタの左右両側にそれぞれゴム紐を固着したものである。各ゴム紐の両端部はフィルタの上下に固着されることによりループ状に折り返された形になっており、この折り返し部を人の耳に掛けることによりマスクを装着するようになっている。
【０００３】
このように、一般用途の耳掛け型マスクは、左右のゴム紐を左右の耳に掛けて使用するものであるため、長時間使用すると、ゴム紐の引っ張り力で耳に痛みを感じ、やむを得ずマスクを外すことがある。そこで、眼鏡のフレームを利用してマスクを装着できるように、マスクの耳掛け部材（上記ゴム紐に相当する）を係止する係止部材を眼鏡のフレームに設けたマスクホルダーが提案されている（特許文献１参照）。眼鏡のフレームは耳への接触面積が広く、当たりがソフトであるため、長時間使用しても、耳の痛みや不快感は生じない。
【０００４】
マスクの別の例として、両端に連結部材を有する２つの紐と、上記連結部材によって着脱可能なマスク本体を有してなる使い捨て式マスクが提案されている（特許文献２参照）。特許文献２には、２つの紐が人の後頭部を巡ることによって装着される形式のマスクも記載されている。この形式のマスクによれば、長時間使用しても、耳の痛みや不快感は生じない。また、マスク本体すなわちフィルタ部分のみを交換すればよく、紐は継続して使用できる利点もある。
【先行技術文献】
【特許文献】
【０００５】
【特許文献１】実用新案登録第３１３６５７０号公報
【特許文献２】特表２００９−５３１０８７号公報
【０００６】
特許文献１記載の発明は、常時眼鏡を使用している人をユーザーとして想定していて、眼鏡を使用しない人は想定外である。日常的に眼鏡を使用していない人が特許文献１記載のマスクを使用するとすれば、眼鏡のフレームを使用し、このフレームに、マスクの耳掛け部材を係止する係止部材を設ける必要がある。
【０００７】
特許文献２記載の発明によれば、フィルタ部分のみを交換できる利点があるが、２つの紐が人の後頭部を巡ることによって装着されるため、人に装着した態様でのマスクが不安定で、使い心地が良くない。
【発明の概要】
【発明が解決しようとする課題】
【０００８】
本発明は、長時間使用しても耳が痛くなったり不快感を覚えたりすることがなく、装着した態様を安定に維持することができ、さらに、フィルタの交換が容易な耳掛け型マスク、マスク用フィルタおよびマスク用フレームを提供することを目的とする。
【課題を解決するための手段】
【０００９】
本発明に係る耳掛け型マスクは、
人の口および鼻を覆うことができるフィルタと、人の耳に掛けることができ上記フィルタを保持することができるフレームを有してなるマスクであって、
上記フレームは、人の両耳に掛ける耳掛け部から鼻に当たる部分に至る蔓部と、上記蔓部に連続して設けられ人の口および鼻を含む範囲を囲むことができるフィルタ保持枠を有し、
上記フィルタは、上記フレームの蔓部とフィルタ保持枠で囲まれる範囲を覆うことができる広さを有するとともに、上記フレームのフィルタ保持枠を外側から囲って装着することができる折り返し縁部と、上記フレームの蔓部に掛け止めることができる弾性紐を有することを最も主要な特徴とする。
【００１０】
本発明に係るマスク用フィルタは、
人の耳に掛けることができるフレームに保持され、人の口および鼻を覆うことができるマスク用フィルタであって、
上記フレームの蔓部とフィルタ保持枠で囲まれる範囲を覆うことができる広さを有するとともに、上記フレームのフィルタ保持枠を外側から囲って装着することができる折り返し縁部と、上記フレームの蔓部に掛け止めることができる弾性紐を有することを特徴とする。
【００１１】
本発明に係るマスク用フレームは、
フィルタを保持して人の耳に掛けることができるマスク用フレームであって、
人の両耳に掛ける部分から鼻に当たる部分に至る蔓部と、上記蔓部に連続して設けられ人の口および鼻を含む範囲を囲むことができるフィルタ保持枠を有し、
上記フィルタ保持枠はフィルタの縁部に形成されている折り返し部に差し込むことができ、
上記蔓部には、上記フィルタのループ部を掛け止めることができる引っ掛け部が設けられていることを特徴としている。
【発明の効果】
【００１２】
本発明に係る耳掛け型マスク、マスク用フィルタおよびマスク用フレームは、フレームのフィルタ保持枠にフィルタを装着し、フレームの蔓部を人の両耳に掛けて使用する。フレームの蔓部はあたかも眼鏡の蔓部のように構成することができ、かつ、弾性力が耳に加わることはないから、長時間使用しても、耳が痛くなるとか、不快感を覚える、といった問題を解消することができる。フィルタはフレームから分離して廃棄することができ、新たなフィルタをフレームに装着して使用することができる。フレームへのフィルタの着脱は容易である。
【図面の簡単な説明】
【００１３】
【図１】本発明に係る耳掛け型マスクの実施例およびその使用態様を示す正面図である。
【図２】上記実施例中のマスク用フレームを示す正面図である。
【図３】上記実施例中のマスク用フィルタを示す正面図である。
【図４】上記フィルタの背面図である。
【図５】マスク用フレームを示す斜視図である。
【発明を実施するための形態】
【００１４】
以下、本発明に係る耳掛け型マスク、マスク用フィルタおよびマスク用フレームの実施例を、図面を参照しながら説明する。
【実施例】
【００１５】
図１において、耳掛け型マスク１は、人の口および鼻を覆うことができるフィルタ３と、フィルタ３を保持して人の耳に掛けることができるフレーム２を主な構成部材としている。
【００１６】
フレーム２は、図２、図５にも示すように、人の両耳に掛ける左右の耳掛け部２２から鼻に当たる部分に至る蔓部２１と、蔓部２１に連続して設けられ人の口および鼻を含む範囲を囲むことができるフィルタ保持枠２５を有している。蔓部２１には、フィルタ保持枠２５よりも外側の左右に、後述のフィルタ３の弾性紐３５を掛け止めることができる引っ掛け部２３が設けられている。
【００１７】
フレーム２は、眼鏡のフレームと同様に、軽合金などの金属を素材とするものであってもよいし、合成樹脂その他適宜の素材を用いてよい。フレーム２は携帯性に優れていることが望まれるので、携帯時は任意の形に折り畳まれ、使用時は人の体温などでその人の顔形に適合した形態に復元する形状記憶素材で製作するとよい。
【００１８】
あるいは、フレーム２全体を、あるいは蔓部２１をフレキシブル素材で製作してもよい。フレーム２全体あるいは蔓部２１がフレキシブルであれば、使用する人の顔形に応じて変形させ、使用する人の顔形にフィットさせることができる。
【００１９】
フレーム２は、人の鼻に当たる部分、すなわち蔓部２１の中央部に、鼻の隆起に合わせた折り曲げ部２４が形成されている。これにより、後で説明するフィルタ３が人の顔面によくフィットするとともに、フィルタ３と人の顔面との隙間を少なくすることができる。また、図５に示すように、フィルタ保持枠２５の下端部に、人のあごに沿うように、後方に向かう折り曲げ部２６を形成するとよい。こうすることにより、フレーム２が人の顔面に安定に装着されるとともに、フィルタ３と人の顔面との隙間を少なくすることができる。
【００２０】
フィルタ３は、ガーゼや不織布など空気を通し粉体や塵埃の透過を遮断するシート状の素材からなり、フレーム２の蔓部２１とフィルタ保持枠２５で囲まれる範囲を覆うことができる広さを有する。図３、図４にも示すように、フィルタ３は正面および背面から見て略四角形をしており、左右の両側縁部は前面側から背面側に折り返されて折り返し縁部３１が形成されている。また、フィルタ３の下縁部も前面側から背面側に折り返されて折り返し縁部３２が形成されている。
【００２１】
フィルタ３の左右両側下端部には、上記折り返し縁部３１と折り返し縁部３２の重なり部が形成され、この重なり部が互いに固着されることにより上記折り返し縁部３１と折り返し縁部３２が維持されている。符号３３は、上記重なり部相互の固着部を示している。固着部３３は、接着によって形成してもよいし、クリップのような部材を付加することによって形成してもよく、フィルタ３の素材に合成樹脂などの溶着可能な素材を含む場合は溶着によって形成してもよい。
【００２２】
フィルタ３の上縁部に沿ってゴム紐などからなる弾性紐３５が設けられている。弾性紐３５はフィルタ３の上縁部に沿って縫い付けられているが、弾性紐３５の上縁部を折り返して袋を作り、この袋に弾性紐３５を通してもよい。あるいは、接着や溶着などによって弾性紐３５をフィルタ３に固着してもよい。弾性紐３５の両端部はフィルタ３の左右両側に引き出され、かつ、折り返されてループ部３６が形成され、弾性紐３５の両端はフィルタ３に弾性紐の近くで固着されている。フィルタ３への弾性紐３５の両端の固着手段は、接着、熱溶着、圧着、その他適宜の固着手段を用いて差し支えない。
【００２３】
フィルタ３は、凹凸のある人の口と鼻を覆うものであるから、人の口と鼻を違和感なく覆うことができるように、立体的に成形して裁断し、あるいは適宜数の襞（タック）を形成してゆとりを持たせるとよい。フィルタ３の周囲はフレーム２で規制されるため、フィルタ３と人の顔面との間に隙間が生じがちになる。そこで、前記折り返し縁部３１、３２を大きくとり、折り返し縁部３１、３２が顔面に接するようにするとよい。
【００２４】
図１に示すように、本実施例に係る耳掛け型マスク１は、マスク用フレーム２にマスク用フィルタ３を装着して使用する。フィルタ３の左右両側の折り返し部３１にフレーム２のフィルタ保持枠２５の左右両側差し込み、フィルタ３の下側の折り返し部３２に上記フィルタ保持枠２５の下部を差し込む。上記フィルタ保持枠２５の左右両側から下部に至る部分は円弧状に形成されているため、上記折り返し部３１と折り返し部３２の重合部の前記固着部３３は、フィルタ保持枠２５の外側に位置している。したがって、折り返し部３１、３２を維持するために形成した固着部３３が、フィルタ保持枠２５を折り返し部３１、３２に差し込むための障害になることはない。
【００２５】
フィルタ３の上縁部をフレーム２の蔓部２１に沿わせ、弾性紐３５の両端のループ部３６をつまんで弾性紐３５を伸張させ、両側のループ部３６をそれぞれ蔓部２１の両側に形成されている引っ掛け部２３に引っ掛ける。フィルタ３は、フレーム２の蔓部２１とフィルタ保持枠２５で囲まれる範囲を覆い、かつ、フィルタ保持枠２５を外側から囲ってフレーム２に装着される。
【００２６】
フィルタ３が装着されたフレーム２を、メガネをかける要領で使用する。すなわち、フレーム２の両端の耳掛け部２２を両側の耳に掛け、蔓部２１の中央部を鼻に当てて使用する。フィルタ３は人の口および鼻を覆うのに十分な広さを有しているため、人の呼吸によって空気がフィルタ３を通して出入りし、マスクの効果を発揮する。
【００２７】
ユーザーによって顔形が異なるため、フレーム２はフィルタ保持枠２５を含めた全体をフレキシブルな素材で形成し、顔形に対応したフレーム形状に修正して、シール効果を高めるようにするとよい。また、フィルタ３の左右両端縁と下端縁に折り返し縁部３１、３２があるため、これらの折り返し縁部３１、３２がフィルタ３の周縁部の隙間を埋めてシール効果を果たす。したがって、前述のように、折り返し縁部３１、３２は長めに設定することが望ましい。
【００２８】
フィルタ３は継続して使用すると汚れるので、適宜交換し、汚れたフィルタは廃棄する。フレーム２は継続して使用する。弾性紐３５の両端のループ部３６をフレーム２の引っ掛け部２３から外せば、上記折り返し縁部３１、３２からフィルタ保持枠２５を抜け出させることができるため、フィルタ３をフレーム２から取り外すことは容易である。フィルタ３の取り外し操作と逆の操作を行えば、フィルタ３をフレーム２に装着できるので、フィルタ３の装着操作も容易である。
【００２９】
以上説明した本発明に係る耳掛け型マスク、マスク用フィルタおよびマスク用フレームの実施例によれば、耳に掛けるフレーム２にフィルタ３を装着して使用するため、長時間使用しても耳が痛くなるといった不快感を無くすことができる。フィルタ３が汚れたらフィルタ３のみを交換すればよく、フレーム２は交換する必要がないので、低コストでマスクおよびマスク用フィルタを提供することができる。フィルタ３のフレーム２への装着は、フィルタ３の折り返し部３１、３２にフレーム２のフィルタ保持枠２５を差し込み、フィルタ３の弾性紐３５のループ部３６をフレーム２の引っ掛け部２３に引っ掛けるだけでよく、簡単である。
【産業上の利用可能性】
【００３０】
本発明に係る耳掛け型マスク、マスク用フィルタおよびマスク用フレームは、風邪対策や花粉症対策のための一般用途のほか、医療用、実験室用などあらゆる用途に対応することができる。
【符号の説明】
【００３１】
１    マスク
２    フレーム
３    フィルタ
２１    蔓部
２２    耳掛け部
２３    引っ掛け部
２５    フィルタ保持枠
３１    折り返し縁部
３２    折り返し縁部
３３    固着部
３５    弾性紐
３６    ループ部
【図１】
2014124397.tif 000003
【図２】
2014124397.tif 000004
【図３】
2014124397.tif 000005
【図４】
2014124397.tif 000006
【図５】
2014124397.tif 000007